(57)【特許請求の範囲】
【請求項１】
絶縁材料製のプラグハウジング内に上下方向に伸びた複数の信号用プラグコンタクトを左右方向に並べて保持するプラグコネクタと、絶縁材料製のレセプタクルハウジング内に上下方向に伸びた複数の信号用レセプタクルコンタクトを左右方向に並べて保持するレセプタクルコネクタとからなり、前記レセプタクルコネクタに前記プラグコネクタを受容嵌合して前記信号用プラグコンタクトを対応する前記信号用レセプタクルコンタクトに接続させるコネクタであって、
前記プラグコネクタが、前記信号用プラグコンタクトの左右方向に並んで配設された２極の電源用プラグコンタクトを有し、
前記レセプタクルコネクタが、前記信号用レセプタクルコンタクトの左右方向に並んで配設され、前記プラグコネクタを受容嵌合した状態で前記電源用プラグコンタクトと接続される２極の電源用レセプタクルコンタクトを有する電源付レセプタクルコネクタと、
前記プラグコネクタを受容嵌合した状態で前記電源用プラグコンタクトを受容する受容空間が前記レセプタクルハウジングに形成された電源無レセプタクルコネクタとを選択使用し、該電源無レセプタクルコネクタのレセプタクルハウジングは、前記電源付レセプタクルコネクタのレセプタクルコネクタと同一であって前記受容空間は前記電源用レセプタクルコンタクトの配設空間とし、
さらに、前記プラグコネクタ及び前記レセプタクルコネクタはそれぞれ、前記プラグハウジングに取り付けられたプラグコネクタ固定金具及び前記レセプタクルハウジングに取り付けられたレセプタクルコネクタ固定金具を有し、前記レセプタクルコネクタに前記プラグコネクタを受容嵌合した際に前記プラグコネクタ固定金具と前記レセプタクルコネクタ固定金具とが電気的に導通される、
ことを特徴とするコネクタ。
【発明の詳細な説明】
【０００１】
【発明の属する技術分野】
本発明は、プラグコネクタおよびレセプタクルコネクタから構成されて互いに嵌合するコネクタに関し、さらに詳しくは、信号用のコンタクトに加えて電源用のコンタクトを設けたコネクタに関する。
【０００２】
【従来の技術】
いわゆるノートパソコン等においては、ＦＤドライブやＣＤ−ＲＯＭドライブ等の外部記憶装置をコネクタによって着脱可能な構成としているものがある。さらにこのようなノートパソコンにおいては、電源として充電式のバッテリ（いわゆるバッテリパック）を用いることができるように構成することが多い。ここで、外部記憶装置を接続するためには複数の信号用コンタクトを有する信号用のコネクタが必要であり、バッテリパックの接続を行うためには信号用のコンタクトよりも容量の大きい電源用コンタクトを有する電源用のコネクタが必要となる。
【０００３】
ノートパソコンによっては外形寸法を小さくするために、外部記憶装置やバッテリパック等のアタッチメントをノートパソコン本体内に格納することができるように構成したものがある。このようなノートパソコンにおいては、各アタッチメントを同一の外形寸法に形成するとともにパソコン本体にアタッチメント受容部を形成し、このアタッチメント受容部にコネクタ配設して各アタッチメントを接続可能（着脱可能）な構成としている。これにより、用途によってアタッチメントを差し替えて使い分けることができるようにしている。
【０００４】
ここで、外部記憶装置においては電源用コンタクトを必要としない機種があるが、バッテリパックを用いる場合には電源用コンタクトは必ず必要となる。このため、上記のように外部記憶装置とバッテリパックとを差し替え可能な構成とした場合には、アタッチメント受容部において配設位置を変えて（例えば、上下二段に）信号用のコネクタと電源用のコネクタとを設けていた。
【０００５】
しかしながら、近時においてはノートパソコンのさらなる小型化が進んでおり、実装スペースの拡大に繋がることから、アタッチメント受容部に複数のコネクタを設けることは困難になってきている。そこで、パソコン側に設けられるコネクタを信号用コネクタおよび電源用コネクタとしての共用が可能な構成とし、必要に応じてアタッチメントの接続を行うようにすることが考えられる。例えば、このような共用可能なコネクタとしては、左右方向に並んだ複数の信号用コンタクトの左右端部に２極の電源用コンタクトを設けたコネクタがある。
【０００６】
【発明が解決しようとする課題】
このように構成されたコネクタにおいては、電源が不要なアタッチメントを用いる場合であっても、アタッチメントには電源用コンタクトが設けられることとなる。このように電源が不要な場合にも電源用コンタクトを設けることとすると、コネクタの価格の上昇に繋がり、ひいては、アタッチメントの価格の上昇に繋がるという問題がある。
【０００７】
本発明は、このような問題に鑑みてなされたものであり、実装スペースを小さくすることができるとともに、製作コストを低減させることができるコネクタを提供することを目的としている。
【０００８】
【課題を解決するための手段】
このような目的達成のため、本発明のコネクタは、プラグハウジング内に上下方向に伸びた複数の信号用プラグコンタクトを左右方向に並べて保持するプラグコネクタと、レセプタクルハウジング内に上下方向に伸びた複数の信号用レセプタクルコンタクトを左右方向に並べて保持するレセプタクルコネクタとから構成し、レセプタクルコネクタにプラグコネクタを受容嵌合させることにより両信号用コンタクトの接続を行うようにしている。なお、プラグコネクタには、信号用プラグコンタクトの左右方向に並んで２極の電源用プラグコンタクトを配設している。
【０００９】
レセプタクルコネクタとしては、電源付レセプタクルコネクタと電源無レセプタクルコネクタとを用意し、用途によっていずれかのコネクタを選択使用するようにする。電源付レセプタクルコネクタにおいては、プラグコネクタを受容嵌合した状態で電源用プラグコンタクトと接続される２極の電源用レセプタクルコンタクトを信号用レセプタクルコンタクトの左右方向に並んで配設している。また、電源無レセプタクルコネクタにおいては、プラグコネクタを受容嵌合した状態で電源用プラグコンタクトを受容する受容空間をレセプタクルハウジングに形成している。
【００１０】
すなわち、両レセプタクルコネクタは同一のレセプタクルハウジングを用いることができ、電源付レセプタクルコネクタにおける電源用レセプタクルコンタクトの配設空間を、電源無レセプタクルコネクタにおける電源用プラグコンタクトの受容空間とすることができる。
【００１１】
このように構成したコネクタによれば、信号用コンタクトと電源用コンタクトとが左右方向に一列に並んで配設されているため、電源用コンタクトを設けてもコネクタを小型化することができる。また、電源を必要としない場合には、電源付レセプタクルコネクタに電源用レセプタクルコンタクトを取り付けない状態のコネクタを電源無レセプタクルコネクタとして用いることができるため、コネクタを安価に製作することができる。さらに、プラグコネクタ及びレセプタクルコネクタはそれぞれ、プラグハウジングに取り付けられたプラグコネクタ固定金具及びレセプタクルハウジングに取り付けられたレセプタクルコネクタ固定金具を有しており、レセプタクルコネクタにプラグコネクタを受容嵌合した際にプラグコネクタ固定金具とレセプタクルコネクタ固定金具とが電気的に導通されている。従って、従来は電源用コンタクトに加えて電力の供給を行わせるための電源用のコンタクトとしても用いることができ電源用コンタクト７０のみでは容量が少ない場合でも両コネクタ固定金具で補うことができるとともに、プラグコネクタ固定金具およびレセプタクルコネクタ固定金具によってプラグコネクタを固定するパソコンＣのケース等とレセプタクルコネクタを固定するバッテリパックのケース等とを電気的に導通させることができ両者の電位差を零にする（同電位とする）ことができるためノイズの発生を低減させることができる。
【００１２】
【発明の実施の形態】
以下、図面を参照して本発明の好ましい実施の形態であるコネクタについて、図を参照して説明する。このコネクタは、図１から図１５に示すようにプラグコネクタ１と、電源付レセプタクルコネクタ５および電源無レセプタクルコネクタ９の２種類のレセプタクルコネクタとから構成され、嵌合することによりプラグコネクタ１に設けられたコンタクト２０，３０と、いずれかのレセプタクルコネクタ５，９に設けられたコンタクト６０，７０等とが接続されるようになっている。
【００１３】
プラグコネクタ１は、図２に示すようにノートパソコンＣに形成されたアタッチメント受容部ＣＡに配設される。このアタッチメント受容部ＣＡには、バッテリパック、ＣＤ−ＲＯＭドライブあるいはＨＤドライブ等のアタッチメントＡが受容可能に構成され、このアタッチメントＡには前記のプラグコネクタ１との嵌合が自在に構成されたレセプタクルコネクタ５，９が配設されている。
【００１４】
レセプタクルコネクタ５，９は、共にプラグコネクタ１に対する嵌合が可能に形成されている。そして、電源付レセプタクルコネクタ５および電源無レセプタクルコネクタ９のいずれか一方をアタッチメントＡに設けることにより、アタッチメント受容部ＣＡに所望のアタッチメントＡを付け替えることができる。以下、図面を参照して各コネクタ別に説明する。なお、図４，図５および図１２は嵌合状態にあるコネクタを表し、それ以外の図は各コネクタ１，５，９を分離した状態を表している。
【００１５】
まず、プラグコネクタ１について説明する。プラグコネクタ１は、絶縁材料製のハウジング１０により複数のプラグコンタクト２０を図示のように保持して構成される。プラグハウジング１０は、矩形板状の基部１１と、この基部１１の下に矩形箱状に下方に延びて形成された外側壁部１２と、この外側壁部１２の内側において基部１１の下に矩形箱状に下方に延びて形成されたプラグコンタクト保持部１４とを有して一体に形成されている。これにより、基部１１の下面側には、外側壁部１２およびプラグコンタクト保持部１４により囲まれるとともに下方に開口したプラグ外側空間１３が形成される。
【００１６】
基部１１には、２列に並んで基部１１を上下に貫通する貫通孔１６が形成されており、この貫通孔１６にはプラグコンタクト２０が上面側から圧入されて取り付けられている。プラグコンタクト保持部１４の左右外側面には複数のガイド溝１４ａが貫通孔１６に対応して形成されており、貫通孔１６に圧入されたプラグコンタクト２０の上部はこれらガイド溝１４ａ内に入り込んでガイドされる。
【００１７】
プラグ外側空間１３には、外側壁部１２の内周面１２ａから突出して位置決め突起１８が形成されている。この位置決め突起１８は、各図には右側の端部近傍に形成されたものしか表されていないが、プラグハウジング１０の左右端部近傍においてそれぞれ（計２本）上下方向に伸びて後側の内周面１２ａにのみ形成されている。
【００１８】
プラグコンタクト２０は、導電材料によって形成され、プラグ外側空間１３に面してガイド溝１４ａによりガイドされるコンタクト部２１と、貫通孔１６内に圧入される圧入部２２と、この圧入部２２から水平方向に延びた後にクランク状に曲げられたリード部２３とから構成される。コンタクト部２１は、外方に広がるようにバネ性を有して形成されるとともに下方が内側に向かって湾曲して形成され、後述する電源付レセプタクルコネクタ５や電源無レセプタクルコネクタ９が嵌合し易いように、いわゆる入り勝手となるように形成されている。
【００１９】
プラグ外側空間１３におけるプラグコンタクト保持部１４の左右には、電源用プラグコンタクト３０が設けられている。電源用プラグコンタクト３０は、断面がＵ字状に形成されたコンタクト部３１を有しており、このコンタクト部３１はプラグハウジング１０の開口方向下方に伸びて形成されている。また、コンタクト部３１の上方はコンタクト部３１よりも左右方向に広い幅で圧入部３２が形成され、この圧入部３２からは水平方向に伸びるリード部３３が形成されている。
【００２０】
さらに、プラグハウジング１０の左右外方には、パソコンＣに取り付けられたプリント基板Ｋ１へのグランドを行うための金具を兼ねたプラグコネクタ固定金具４０，４０が取り付けられている。このプラグコネクタ固定金具４０，４０は、後述するようにプラグコネクタ１とレセプタクルコネクタ５もしくは９とを嵌合させた状態において、レセプタクルハウジング５０もしくは５０′に設けられたレセプタクルコネクタ固定金具８０もしくは８０′と当接するようになっている。
【００２１】
プラグコネクタ固定金具４０は、平板部４１と、この平板部４１から垂直方向下方に伸びる立下部４２と、この立下部４２の下端部において左右方向に広がってコの字状に形成された挟持部４３とから構成され、挟持部４３の内側にはそれぞれ内側に突出して接点４３ａが形成されている。このように構成されたプラグコネクタ固定金具４０は、プラグハウジング１０の左右端部を挟持部４３によって挟持するようにしてプラグハウジング１０に保持される。
【００２２】
このようにプラグハウジング１０保持された状態において挟持部４３の内面が位置する部分の外側壁部１２は切り欠かれて形成されており、接点４３ａがプラグ外側空間１３内に突出するようになっている。そして、プラグハウジング１０に保持された状態においては、外側壁部１２の内周面１２ａと挟持部４３の内面４３ｂとが同一平面上に位置することとなる。なお、平板部４１には基板等への取り付けを行うための貫通孔が形成されている。
【００２３】
このように構成されたプラグコネクタ１は、コンタクト２０のリード部２３の上端面が、基板Ｋ１の信号用の配線パターン上に載置されて半田付けされ、電源用プラグコンタクト３０のリード部３３の上端面が基板Ｋ１に形成された電源用のパターン上に載置されて半田付けされる。そして、平板部４１をプリント基板Ｋ１に形成されたグランド用の配線パターンやケースに当接させた状態で、平板部４１に形成された貫通孔を用いてプリント基板Ｋ１へ固定用ネジＮによって取り付けられる。
【００２４】
次に、電源付レセプタクルコネクタ５について説明する。電源付レセプタクルコネクタ５は、絶縁材料製のレセプタクルハウジング５０により複数のレセプタクルコンタクト６０，６０′を図示のように保持して構成される。レセプタクルハウジング５０は、矩形板状の基部５１と、この基部５１の上に矩形箱状に上方に延びて形成された側壁部５２とを有して一体に形成されており、基部５１の上側に側壁部５２により囲まれるとともに上方に開口したレセプタクル側空間５３が形成されている。側壁部５２の左右端部には、それぞれ左右ガイド突起５６，５６が形成され、各ガイド突起５６，５６は、上端面が平面に形成された四角錐状に形成されている。
【００２５】
基部５１においてレセプタクル側空間５３内に位置する部分には、長手方向に延びる２列の貫通孔５５が基部５１を上下に貫通して形成されている。貫通孔５５にはそれぞれレセプタクルコンタクト６０，６０′が下面側から圧入されて取り付けられている。側壁部５２の左右内側面には図示のように複数のガイド溝５４，５４′が貫通孔５５に対応して形成されており、これら貫通孔５５に圧入されたレセプタクルコンタクト６０，６０′の上部はこれらガイド溝５４，５４′内に入り込んでガイドされるようになっている。なお、ガイド溝５４′は詳細を後述するコンタクト部６１′が挿入保持されるため、ガイド溝５４に比べて上部が短く形成されているだけで上下方向に直角な方向の断面形状等は同一である。
【００２６】
側壁部５２の後面５２ｂにおける左右端部近傍には、レセプタクルコネクタ５がプラグコネクタ１を受容嵌合した状態において、前記の位置決め突起１８，１８に対応した位置で、この位置決め突起１８，１８が挿入可能な位置決め溝５８，５８が上下方向に伸びて形成されている。
【００２７】
レセプタクルコンタクト６０は、レセプタクル側空間５３内に面してガイド溝５４によりガイドされたコンタクト部６１と、貫通孔５５内に圧入される圧入部６２と、この圧入部６２から左右方向に延びた後にクランク状に曲げられたリード部６３とから構成される。一方、レセプタクルコンタクト６０′は、圧入部６２およびリード部６３がレセプタクルコンタクト６０と同一形状であるが、コンタクト部６１′の長さが短く形成されている。なお、両コンタクト６０，６０′はともに導電材料によって形成されている。
【００２８】
ガイド突起５６には、上端面および基部５１に貫通する電源コンタクト用保持孔５７が形成されている。電源コンタクト用保持孔５７は、下方に形成されるコンタクト保持部５７ａと、このコンタクト保持部５７ａの上方に形成される上孔５７ｂとから構成されている。そして、上孔５７ｂは、ガイド突起５６の上端面に開孔した挿入孔５７ｃに繋がっている。
【００２９】
このように形成された電源コンタクト用保持孔５７には、電源用レセプタクルコンタクト７０が挿入保持される。電源用レセプタクルコンタクト７０は、板状の導電製材料によって形成されており、前後方向に対向して形成されたコンタクト部７１，７１と、このコンタクト部７１，７１を下部において繋ぐ連結部７２と、この連結部７２の下方においてそれぞれ前後方向に伸びるとともにクランク状に曲げられたリード部７３，７３とから構成される。コンタクト部７１，７１は上部がそれぞれ近接するように若干倒伏した状態で形成されるとともに、上端部がそれぞれ内側に突出するように湾曲するとともに上方に開くように形成され、電源用プラグコンタクト３０の入り勝手となるようになっている。
【００３０】
電源用コンタクト保持孔５７においては、コンタクト保持部５７ａの左右方向の寸法が、上孔５７ｂの左右方向の寸法よりも広く形成されている。また、電源用レセプタクルコンタクト７０におけるコンタクト部７１，７１の左右方向の幅は上孔５７ｂの幅寸法よりも若干狭く形成され、連結部７２の幅寸法はコンタクト保持部５７ａにおいて圧入保持可能な寸法に形成されている。そして、連結部７２の上端面７２ａがコンタクト保持部５７ａの上面に当接するまで、レセプタクルハウジング５０の下方から電源用レセプタクルコンタクト７０を電源用コンタクト保持孔５７内に挿入（圧入）して保持させる。
【００３１】
さらに、レセプタクルハウジング５０の左右外方には、アタッチメントＡに取り付けられたプリント基板Ｋ５へのグランド金具を兼ねたレセプタクルコネクタ固定金具８０，８０が、レセプタクルハウジング５０にカシメられることによって取り付けられている。レセプタクルコネクタ固定金具８０は、平板部８１と、この平板部８１から垂直方向上方に伸びる立上部８２と、この立上部８２の上端部において左右方向に広がってコの字状に形成された挟持部８３とから構成されている。
【００３２】
このように構成されたレセプタクルコネクタ固定金具８０は、レセプタクルハウジング５０の左右端部を挟持部８３によって挟持するようにカシメられてレセプタクルハウジング５０に保持される。そして、レセプタクルハウジング５０に保持された状態においては、側壁部５２の外周面５２ｂと挟持部８３の外面８３ａとが同一平面上に位置することとなる。なお、平板部８１には前記平板部４１と同様に貫通孔が形成されている。
【００３３】
このように構成された電源付プラグコネクタ５は、レセプタクルコンタクト６０，６０′のリード部６３，６３′の上端面が、プリント基板Ｋ５の配線パターン上に載置されて半田付けされ、電源用プラグコンタクト７０のリード部７３の下端面がプリント基板Ｋ５に形成された電源用の配線パターン上に載置されて半田付けされる。そして、平板部８１をプリント基板Ｋ５に形成されたグランド用の配線パターンもしくはケースに当接させた状態で、平板部８１に形成された貫通孔を用いてプリント基板Ｋ５への固定用ネジＮによる取り付けが可能に構成されている。
【００３４】
電源付レセプタクルコネクタ５をアタッチメントＡの一例であるバッテリパックの接続用コネクタとして用いる場合には、両端の電源用レセプタクルコンタクト７０，７０および、レセプタクルコンタクト６０もしくは６０′のうちの数個のコンタクトをバッテリパックに設けられたプリント基板Ｋ５に半田付けする。このように構成されたバッテリパックにおいては、レセプタクルコネクタ５をパソコンＣに設けられたプラグコネクタ１に接続することによってパソコンＣに電力の供給を行うことができるとともに、バッテリパックの電力の残量等をパソコンＣにおいて表示させることができる。
【００３５】
なお、両コネクタ１，５の接続に際しては、プラグハウジング１０には後側にのみ位置決め突起１８，１８が形成され、レセプタクルハウジング５０にも後側にのみ位置決め溝５８，５８が形成されているため、コネクタの前後（左右）が入れ替わった状態で接続されることがない。
【００３６】
また、接続に際しては電源付レセプタクルコネクタ５の左右端部にガイド突起５６，５６が形成されているため、プラグコンタクト保持部１４とレセプタクル側空間５３との位置が一致していない状態でも、両コネクタ１，５を嵌合させるために近づければ、外側壁部１２の左右端部の端面がガイド突起５６，５６の斜面に当接してプラグコンタクト保持部１４をレセプタクル側空間５３内に挿入可能な位置（位置決め突起１８，１８と位置決め溝５８，５８とが一致した位置）に移動させることができる。
【００３７】
このように構成されたプラグコネクタ１および電源付レセプタクルコネクタ５によれば、両コネクタ１，５の嵌合時に、位置決め突起１８および位置決め溝５８の作用によって両コネクタ１，５の左右端部に設けられた電源用コンタクト３０，７０の極性（＋，−）が入れ替わって接続されることがなく、プラグコネクタ１に対して電源付レセプタクルコネクタ５が斜めになって挿入されることもない。
【００３８】
また、両コネクタ１，５の嵌合時には、プラグコンタクト２０とレセプタクルコンタクト６０，６０′とが接触するわけであるが、前記のように、位置決め突起１８，１８と位置決め溝５８，５８によってレセプタクルハウジング５０に対してプラグハウジング１０はまっすぐに挿入される。このため、コンタクト部６１′が短く形成されたレセプタクルコンタクト６０′よりもコンタクト部６１が長く形成されたレセプタクルコンタクト６０の方がプラグコンタクト２０に先に接触することとなる。
【００３９】
従って、コネクタの挿抜時に先に接続させて後から切断したい信号用には、コンタクト部６１が長く形成されたレセプタクルコンタクト６０を用い、その他の信号用にはコンタクト部６１′が短く形成されたレセプタクルコンタクト６０′を用いれば、確実に時差接続を行うことができる。
【００４０】
なお、上記のコネクタにおいては、プラグコンタクト２０およびレセプタクルコンタクト６０，６０′を信号の伝達のみを行うコンタクトとして用いた場合について説明したが、本発明はこれに限られるものではなく、電源用コンタクト３０，７０とは別に、もしくは電源用コンタクト３０，７０と併せて、プラグコンタクト２０およびレセプタクルコンタクト６０，６０′の一部を電源の接続を行うコンタクトとして用いることもできる。
【００４１】
なお、上記のコネクタにおいては、両コネクタ固定金具４０，８０を、グランドの強化および電源用コンタクトからのノイズのシールドに用いることとしているが、電源用コンタクト３０，７０に加えて電力の供給を行わせるための電源用のコンタクトとしても用いることができる。これにより、電源用コンタクト３０，７０のみでは容量が少ない場合でも両コネクタ固定金具４０，８０，′で補うことができる。
【００４２】
さらに、上記のコネクタによれば、プラグコネクタ固定金具４０およびレセプタクルコネクタ固定金具８０によってパソコンＣのケースとバッテリパックのケースとを電気的に導通させることができるため、パソコンＣのケースとバッテリパックのケースの電位差を零にする（両ケースを同電位とする）ことができ、この点からもノイズの発生を低減させることができる。
【００４３】
次に、電源無レセプタクルコネクタ９を他のバッテリパック以外のアタッチメントＡの一例であるＣＤ−ＲＯＭドライブの接続用コネクタとして用いた場合について図１２から図１５を参照して説明する。電源無レセプタクルコネクタ９は、基本的な構成は電源付レセプタクルコネクタ５と同一であり、電源用レセプタクルコンタクト７０が設けられていない点が異なるのみである。
【００４４】
但し、図１および図１２から図１５に示す電源無レセプタクルコネクタ９においては、レセプタクルコネクタ固定金具８０′，８０′をカシメではなく、レセプタクルハウジング５０′に圧入することによって取り付けた場合を示している。このため、レセプタクルハウジング５０′およびレセプタクルコネクタ固定金具８０′，８０′の外観形状が、前記のレセプタクルハウジング５０およびレセプタクルコネクタ固定金具８０，８０とは若干異なっている。しかし、これは単に取り付け方の違いによる差であり、レセプタクルハウジング５０と５０′の実質的な構成および機能は同一である。従って、電源付レセプタクルコネクタ５と電源無レセプタクルコネクタ９とは、同一のハウジング５０もしくは５０′を用いることができる。（電源付レセプタクルコネクタ５において、レセプタクルコネクタ固定金具８０，８０を圧入によって取り付けてもよい。）
【００４５】
なお、各図において電源無レセプタクルコネクタ９に用いられるレセプタクルハウジング５０′およびレセプタクルコネクタ固定金具８０′，８０′と、電源付レセプタクルコネクタ５に用いられるレセプタクルハウジング５０等との外観形状が異なる部分には「′」を付けた符号を付し、その他の物理的にも同一な構成の部分には電源付レセプタクルコネクタ５における符号と同一の符号を付して各部の詳細な説明は省略する。なお、図１２は、電源無レセプタクルコネクタ９をプラグコネクタ１と嵌合させた場合の、図３におけるＶ−Ｖ断面に相当する断面図である。
【００４６】
このように構成された電源無レセプタクルコネクタ９は、両端の電源用コンタクト保持孔５７には何も配設せず、レセプタクルコンタクト６０および６０′をＣＤ−ＲＯＭドライブに設けられたプリント基板に半田付けする。このように構成されたＣＤ−ＲＯＭドライブにおいては、電源無レセプタクルコネクタ９をパソコンＣに設けられたプラグコネクタ１に接続することによってパソコンＣの外部記憶装置としてＣＤ−ＲＯＭドライブを用いることができる。なお、電源無レセプタクルコネクタ９においては、電源用コンタクト保持孔５７が請求の範囲に記載の電源用プラグコンタクトを受容する受容空間となる。
【００４７】
これにより、両コネクタ１，９の嵌合時には、プラグコンタクト２０とレセプタクルコンタクト６０，６０′とが接触し、パソコンＣとＣＤ−ＲＯＭドライブとの間で信号の伝達を行うことができる。また、両コネクタ１，９の嵌合時には電源用プラグコンタクト３０には何も接続されないため、パソコンＣの電源ラインに悪影響を与えることもない。さらに、電源用プラグコンタクト３０は、何も接続されていない状態であっても電源用コンタクト保持孔５７内に受容保持されて外部に露出することがない。このため、電気的な悪影響のみならず外力による悪影響からも電源用プラグコンタクト３０を保護することができる。
【００４８】
なお、上記の各コネクタ１，５，９においては、各コネクタ固定金具４０，８０，８０′の平板部４１，８１に基板等への取り付けを行うための貫通孔が形成されているが、平板部４１等には貫通孔ではなく、バーリング加工を施した後にタップを立てるようにしてもよい。さらに、半田付けによって基板への取り付けを行うようにする場合には、貫通孔やタップは形成しなくてもよい。
【００４９】
プラグコネクタ１は、必ずしもパソコンＣにのみ取り付けられるものではなく、図２および図１６に示すように、アタッチメント接続用のコードＣＯに繋がれたエジェクトロック式コネクタＣＮ１に設けるように構成してもよい。このコードＣＯの他端には、パソコンＣに設けられたアタッチメント接続用のコネクタＣＮ２に嵌合可能なコネクタＣＮ３が繋がれている。
【００５０】
エジェクトロック式コネクタＣＮ１は、レセプタクルコネクタ５，９との嵌合が可能に構成されたプラグコネクタ１を保持するシェル１１０と、一対のロックレバー１２０，１２０とを有して構成されている。ロックレバー１２０は、エジェクタ１２１を有して形成され、プラグコネクタ１の左右両側においてシェル１１０にそれぞれ取り付けられている。エジェクタ１２１は、内方に突出する押上爪１２１ｂを有している。
【００５１】
ロックレバー１２０は、実線で示すロック位置と鎖線で示す開放位置との間で回動可能になっており、ロック位置においてアタッチメントＡに形成されたロック溝Ａ１にロック爪１２１ａが係合し、ロック位置から開放位置まで回動させることによりレセプタクルコネクタ５，９との嵌合を解除するようになっている。
【００５２】
このように構成されたエジェクトロック式コネクタＣＮ１によれば、パソコンＣのアタッチメント受容部ＣＡにすでに何等かのアタッチメントＡが装着されている場合でも、他のアタッチメントＡの接続を行うことができる。すなわち、このようにプラグコネクタ１をエジェクトロック式コネクタＣＮ１に取り付ける場合でも、エジェクトロック式コネクタＣＮ１には常に電源用プラグコンタクト３０を設けることにより、アタッチメントＡに電源付レセプタクルコネクタ５を配設した場合には電源の接続を行うことができ、電源無レセプタクルコネクタ９を配設した場合には、電源用プラグコンタクト３０の保護が可能な電源無レセプタクルコネクタ９を安価に製作することができる。
【００５３】
【発明の効果】
以上説明したように、本発明に係るコネクタは、信号用のコンタクトの左右方向に並んで２極の電源用プラグコンタクトを設けてプラグコネクタを構成しているため、コネクタを小型化することができる。そして、このプラグコネクタとの嵌合時に電源用プラグコンタクトが位置する部分に、電源用レセプタクルコンタクトの配設が可能で、且つ、この電源用レセプタクルコンタクトを配設していないときには電源用プラグコンタクトの受容が可能な空間をレセプタクルハウジングに形成することによりレセプタクルコネクタを構成している。
【００５４】
これにより、電源用レセプタクルコンタクトをレセプタクルハウジングに設けた電源付レセプタクルコネクタと、レセプタクルハウジングに電源用レセプタクルコネクタ設けていない電源無レセプタクルコネクタとを、目的に応じて選択使用すれば、コネクタに不要なコンタクトを設ける必要が無くなるためコネクタの製作コストを低減させることができる。さらに、プラグコネクタ及びレセプタクルコネクタはそれぞれ、プラグハウジングに取り付けられたプラグコネクタ固定金具及びレセプタクルハウジングに取り付けられたレセプタクルコネクタ固定金具を有しており、レセプタクルコネクタにプラグコネクタを受容嵌合した際にプラグコネクタ固定金具とレセプタクルコネクタ固定金具とが電気的に導通されている。従って、従来は電源用コンタクトに加えて電力の供給を行わせるための電源用のコンタクトとしても用いることができ電源用コンタクト７０のみでは容量が少ない場合でも両コネクタ固定金具で補うことができるとともに、プラグコネクタ固定金具およびレセプタクルコネクタ固定金具によってプラグコネクタを固定するパソコンＣのケース等とレセプタクルコネクタを固定するバッテリパックのケース等とを電気的に導通させることができ両者の電位差を零にする（同電位とする）ことができるためノイズの発生を低減させることができる。
【００５５】
例えば、プラグコネクタをパソコンに設け、電源付レセプタクルコネクタをバッテリパックに設けることにより、小さい実装スペースでもパソコンへの電力の供給を行うコネクタを得ることができ、電源無レセプタクルコネクタを電源を必要としないＣＤ−ＲＯＭドライブ等に設けることにより、パソコンＣの電源のラインに悪影響を与えることなく信号の接続を行うことができるとともに、パソコン側の電源コンタクトを保護することができるコネクタを安価に得ることができる。
【図面の簡単な説明】
【図１】本発明に係るコネクタの一例であるレセプタクルコネクタおよびプラグコネクタを示す斜視図である。
【図２】上記コネクタが取り付けられるパソコンおよびアタッチメントの斜視図である。
【図３】上記コネクタの図１におけるIII−III断面図である。
【図４】上記コネクタの嵌合状態を示す図３におけるIV−IV部分の断面図である。
【図５】上記コネクタの嵌合状態を示す図３におけるＶ−Ｖ部分の断面図である。
【図６】図３におけるVI矢視の部分拡大図である。
【図７】図６におけるVII−VII断面図である。
【図８】図６におけるVIII−VIII断面図である。
【図９】図３におけるIX矢視図である。
【図１０】図９におけるＸ−Ｘ断面図である。
【図１１】図９におけるXI−XI断面図である。
【図１２】上記コネクタの嵌合状態を示す図３におけるＶ−Ｖ部分に相当する部分の断面図である。
【図１３】図３におけるXIII矢視の部分拡大図である。
【図１４】図１３におけるXIV−XIV断面図である。
【図１５】図１３におけるXV−XV断面図である。
【図１６】本発明に係るコネクタが取り付けられるエジェクトロック式コネクタおよびアタッチメントの正面図である。
【符号の説明】
１  プラグコネクタ
５  電源付レセプタクルコネクタ
９  電源無レセプタクルコネクタ
１０  プラグハウジング
２０  プラグコンタクト
３０  電源用プラグコンタクト
４０  プラグコネクタ固定金具
５０  レセプタクルハウジング
６０，６０′  レセプタクルコンタクト
７０  電源用レセプタクルコンタクト
８０  レセプタクルコネクタ固定金具
Ａ  アタッチメント
Ｃ  パソコン
ＣＮ１  エジェクトロック式コネクタ
【図１】
0003640759.tif 000002
【図２】
0003640759.tif 000003
【図３】
0003640759.tif 000004
【図４】
0003640759.tif 000005
【図５】
0003640759.tif 000006
【図６】
0003640759.tif 000007
【図７】
0003640759.tif 000008
【図８】
0003640759.tif 000009
【図９】
0003640759.tif 000010
【図１０】
0003640759.tif 000011
【図１１】
0003640759.tif 000012
【図１２】
0003640759.tif 000013
【図１３】
0003640759.tif 000014
【図１４】
0003640759.tif 000015
【図１５】
0003640759.tif 000016
【図１６】
0003640759.tif 000017